(57)【要約】      （修正有）【課題】光源基板の温度上昇を抑制しつつ部品点数削減を図ることができる発光装置を提供する。【解決手段】ＬＥＤユニット２ＲはＬＥＤ基板２１Ｒ、定電流基板２２Ｒからなり、ＬＥＤユニット２ＦはＬＥＤ基板２１Ｆ、定電流基板２２Ｆからなり、各々別の収容部内に収容されている。ＬＥＤ基板２１Ｒには、青色ＬＥＤ４ＲＢ、赤色ＬＥＤ４ＲＲ、緑色ＬＥＤ４ＲＧが搭載され、ＬＥＤ２１Ｆには、青色ＬＥＤ４ＦＢ、赤色ＬＥＤ４ＦＲ、緑色ＬＥＤ４ＦＧが搭載される。定電流基板２２Ｆには、最も駆動電流の大きい赤色ＬＥＤ４ＲＲ、４ＦＲに定電流Ｉ２を供給する定電流回路５Ｒが搭載される。定電流基板２２Ｒには、残りの青色ＬＥＤ４ＲＢ、４ＦＢ、緑色ＬＥＤ４ＲＧ、４ＦＧに定電流Ｉ１を供給する定電流回路５Ｂ、５Ｇが搭載される。【選択図】図１
2018116762.tif 000002
【特許請求の範囲】
【請求項１】
互いに並列接続される複数系統の光源が搭載された光源基板と、前記光源に電流を供給する定電流回路が搭載された定電流基板と、前記光源基板及び前記定電流基板を収容する収容部と、を有する光源ユニットを複数備えた発光装置であって、
複数の前記光源ユニットの同じ系統の光源同士が、互いに直列接続され、
前記光源の系統毎に直列接続される複数の定電流回路が、前記複数の光源ユニットの定電流基板に分散して配置されることを特徴とする発光装置。
【請求項２】
前記光源基板には、互いに異なる色で発光する複数の光源が互いに並列接続されて搭載され、
前記系統は発光色で区別され、
前記複数の前記光源ユニットの同色の光源同士が、互いに直列接続されていることを特徴とする請求項１に記載の発光装置。
【請求項３】
前記光源ユニットは、２つ設けられ、
前記光源基板は、３系統の光源が配置され、
前記２つの光源ユニットのうち一方の定電流基板には、３系統の光源のうち駆動電流が小さい２系統の光源にそれぞれ電流を供給する定電流回路が搭載され、
前記２つの光源ユニットのうち他方の定電流基板には、前記３系統の光源のうち駆動電流が最も大きい１系統の光源に電流を供給する定電流回路が搭載されていることを特徴とする請求項１又は２に記載の発光装置。
【請求項４】
前記３系統の光源をそれぞれ独立して制御する制御部をさらに備え、
前記２つの光源ユニットの一方には、当該光源基板及び定電流基板に電源を供給するための第１電源端子と、前記電源を前記２つの光源ユニットの他方に供給するための第２電源端子と、当該３系統の光源をそれぞれ前記光源ユニットの他方に接続するための３つの第１接続端子と、当該３系統の光源のうち駆動電流が最も大きい１系統の光源を前記制御部に接続するための第２接続端子と、が設けられ、
前記２つの光源ユニットの他方には、前記第２電源端子に接続される第３電源端子と、当該３系統の光源をそれぞれ前記光源ユニットの一方に接続するための３つの第３接続端子と、当該３系統の光源のうち駆動電流が小さい２系統の光源を前記制御部に接続するための２つの第４接続端子と、が設けられたことを特徴とする請求項３に記載の発光装置。
【発明の詳細な説明】
【技術分野】
【０００１】
本発明は、発光装置に関する。
【背景技術】
【０００２】
ＬＥＤ（光源）の明るさを一定に維持しながら安定して点灯させるには、ＬＥＤを定電流駆動する必要がある。そのために定電流源が用いられている。特許文献１のＬＥＤ駆動回路は、互いに並列接続された３つのＬＥＤに対して３つの定電流回路が設けられている。
【０００３】
また、例えば、車両のフロントに配置されるＬＥＤ基板と、車両のリアに配置されるＬＥＤ基板と、定電流基板と、を直列に接続し、１つの定電流基板により複数のＬＥＤ基板に駆動電流を供給することが考えられている。
【０００４】
しかしながら、上述したＬＥＤ駆動回路においては、フロント、リアにそれぞれ配置されたＬＥＤ基板と、定電流回路と、を別々の筐体に収容し、別々の部品で設けていた。このため、部品点数が増大する、という問題があった。近年、車両においては、ＬＥＤの搭載数が増加する傾向にあり、さらなる部品点数を招く、という問題があった。
【０００５】
そこで、定電流基板と複数のＬＥＤ基板の１つとを同一の筐体内に収容して一つの部品にすることが考えられる。しかしながら、定電流回路は発熱量が大きいが、ＬＥＤは耐熱性が低いため、上述したように一つの部品にすることが難しい。
【先行技術文献】
【特許文献】
【０００６】
【特許文献１】特開２０１３−１５７４９３号公報
【発明の概要】
【発明が解決しようとする課題】
【０００７】
本発明は、以上の背景に鑑みてなされたものであり、光源基板の温度上昇を抑制しつつ部品点数削減を図ることができる発光装置を提供することを目的としている。
【課題を解決するための手段】
【０００８】
本発明の第１の態様である発光装置は、互いに並列接続される複数系統の光源が搭載された光源基板と、前記光源に電流を供給する定電流回路が搭載された定電流基板と、前記光源基板及び前記定電流基板を収容する収容部と、を有する光源ユニットを複数備えた発光装置であって、複数の前記光源ユニットの同じ系統の光源同士が、互いに直列接続され、前記光源の系統毎に直列接続される複数の定電流回路が、前記複数の光源ユニットの定電流基板に分散して配置されることを特徴とする。
【０００９】
第２の態様である発光装置は、前記光源基板には、互いに異なる色で発光する複数の光源が互いに並列接続されて搭載され、前記系統は発光色で区別され、前記複数の前記光源ユニットの同色の光源同士が、互いに直列接続されている。
【００１０】
第３の態様である発光装置は、前記光源ユニットは、２つ設けられ、前記光源基板は、３系統の光源が配置され、前記２つの光源ユニットのうち一方の定電流基板には、３系統の光源のうち駆動電流が小さい２系統の光源にそれぞれ電流を供給する定電流回路が搭載され、前記２つの光源ユニットのうち他方の定電流基板には、前記３系統の光源のうち駆動電流が最も大きい１系統の光源に電流を供給する定電流回路が搭載されている。
【００１１】
第４の態様である発光装置は、前記３系統の光源をそれぞれ独立して制御する制御部をさらに備え、前記２つの光源ユニットの一方には、当該光源基板及び定電流基板に電源を供給するための第１電源端子と、前記電源を前記２つの光源ユニットの他方に供給するための第２電源端子と、当該３系統の光源をそれぞれ前記光源ユニットの他方に接続するための３つの第１接続端子と、当該３系統の光源のうち駆動電流が最も大きい１系統の光源を前記制御部に接続するための第２接続端子と、が設けられ、前記２つの光源ユニットの他方には、前記第２電源端子に接続される第３電源端子と、当該３系統の光源をそれぞれ前記光源ユニットの一方に接続するための３つの第３接続端子と、当該３系統の光源のうち駆動電流が小さい２系統の光源を前記制御部に接続するための２つの第４接続端子と、が設けられている。
【発明の効果】
【００１２】
以上説明したように第１の態様によれば、光源に直列接続される複数の定電流回路が、複数の光源ユニットの定電流基板に分散して配置される。これにより、光源基板の温度上昇を抑制しつつ部品点数削減を図ることができる。
【００１３】
第２の態様によれば、発光基板に搭載された光源の色を制御できる。
【００１４】
第３の態様によれば、３つの定電流回路を駆動電流の最も大きい定電流回路と、残りの２つの定電流回路と、に分散して配置することができ、２つの光源ユニットの光源基板の温度上昇の抑制を同程度に近づけることができる。このため、より一層光源基板の温度上昇を抑制することができる。
【００１５】
第４の態様によれば、２つの光源ユニットの端子数を同じにすることができるため、端子を収容するコネクタや、収容部などを共通化することができる。
【図面の簡単な説明】
【００１６】
【図１】第１実施形態における本発明の発光装置としてのＬＥＤ装置を示す回路図である。
【図２】図１に示すＬＥＤユニットの一例を示す概略斜視図である。
【図３】第２実施形態における本発明の発光装置としてのＬＥＤ装置を示す回路図である。
【発明を実施するための形態】
【００１７】
（第１実施形態）
以下、本発明の第１実施形態を図１及び図２に基づいて説明する。図１は、第１実施形態における本発明の発光装置としてのＬＥＤ装置を示す回路図である。図２は、図１に示すＬＥＤユニットの一例を示す概略斜視図である。
【００１８】
本実施形態のＬＥＤ装置１は、例えば、車両に搭載され、車室内や車室外を照明する装置である。もちろん、ＬＥＤ装置１としては、車両以外に搭載されたものであってもよい。
【００１９】
ＬＥＤ装置１は、２つのＬＥＤユニット２Ｒ、２Ｆと、２つのＬＥＤユニット２Ｒ、２Ｆを制御する制御部としての中継コネクタ３と、を備えている。ＬＥＤユニット２Ｒは、車両のリア側に配置され、ＬＥＤユニット２Ｆは、車両のフロント側に配置されている。
【００２０】
ＬＥＤユニット２Ｒ、２Ｆはそれぞれ、ＬＥＤ基板（光源基板）２１Ｒ、２１Ｆと、定電流基板２２Ｒ、２２Ｆと、これらＬＥＤ基板２１Ｒ、２１Ｆ及び定電流基板２２Ｒ、２２Ｆを収容する収容部２３Ｒ、２３Ｆ（図２参照）と、を有している。ＬＥＤ基板２１Ｒ、２１Ｆにはそれぞれ、フルカラーＬＥＤ４Ｒ、４Ｆが搭載されている。
【００２１】
フルカラーＬＥＤ４Ｒは、赤色ＬＥＤ４ＲＲ、緑色ＬＥＤ４ＲＧ、青色ＬＥＤ４ＲＢ、の発光色で区別された３系統のＬＥＤ（光源）から構成されている。これら青色ＬＥＤ４ＲＢ、赤色ＬＥＤ４ＲＲ、緑色ＬＥＤ４ＲＧは、並列接続される。フルカラーＬＥＤ４Ｆは、青色ＬＥＤ４ＦＢ、赤色ＬＥＤ４ＦＲ、緑色ＬＥＤ４ＦＧ、の３種類のＬＥＤ（光源）から構成されている。これら青色ＬＥＤ４ＦＢ、赤色ＬＥＤ４ＦＲ、緑色ＬＥＤ４ＦＧは、並列接続される。
【００２２】
２つのＬＥＤユニット２Ｒ、２Ｆのうち同色のＬＥＤ同士は、互いに直列接続されている。即ち、青色ＬＥＤ４ＲＢと、青色ＬＥＤ４ＦＢと、が直列接続されている。赤色ＬＥＤ４ＲＲと、赤色ＬＥＤ４ＦＲと、が直列接続されている。緑色ＬＥＤ４ＲＧと、緑色ＬＥＤ４ＦＧと、が直列接続されている。本実施形態では、青色ＬＥＤ４ＲＢ、緑色ＬＥＤ４ＲＧは各々、青色ＬＥＤ４ＦＢ、緑色ＬＥＤ４ＦＧの電源下流側に接続される。また、赤色ＬＥＤ４ＲＲは、赤色ＬＥＤ４ＦＲの電源上流側に接続される。
【００２３】
また、ＬＥＤ装置１には、青色定電流回路５Ｂと、赤色定電流回路５Ｒと、緑色定電流回路５Ｇと、が備えられている。青色定電流回路５Ｂは、青色ＬＥＤ４ＲＢ、４ＦＢに直列接続され、青色ＬＥＤ４ＲＢ、４ＦＢに定電流Ｉ１を供給する。赤色定電流回路５Ｒは、赤色ＬＥＤ４ＲＲ、４ＦＲに直列接続され、赤色ＬＥＤ４ＲＲ、４ＦＲに定電流Ｉ２を供給する。緑色定電流回路５Ｇは、緑色ＬＥＤ４ＲＧ、４ＦＧに直列接続され、緑色ＬＥＤ４ＲＧ、４ＦＧに定電流Ｉ１を供給する。
【００２４】
赤色ＬＥＤ４ＲＲ、４ＦＲは、青色ＬＥＤ４ＲＢ、４ＦＢ、緑色ＬＥＤ４ＲＧ、４ＦＧに比べて大きい駆動電流を流す必要がある。よって、赤色定電流回路５Ｒが供給する定電流Ｉ２は、青色、緑色定電流回路５Ｂ、５Ｇが供給する定電流Ｉ１よりも大きい。本実施形態では、青色定電流回路５Ｂが供給する定電流Ｉ１と、緑色定電流回路５Ｇが供給する定電流Ｉ１と、は等しい。
【００２５】
本実施形態では、ＬＥＤユニット２Ｒ（２つのＬＥＤユニット２Ｒ、２Ｆの一方）の定電流基板２２Ｒに、青色定電流回路５Ｂと、緑色定電流回路５Ｇと、の２つが搭載されている。また、ＬＥＤユニット２Ｆ（２つのＬＥＤユニット２Ｒ、２Ｆの他方）の定電流基板２２Ｆに、赤色定電流回路５Ｒが搭載されている。
【００２６】
上記収容部２３Ｒ、２３Ｆは、例えば樹脂製で箱型に形成されている。上述したＬＥＤ基板２１Ｒ及び定電流基板２２Ｒは、図２に示すように、１つの収容部２３Ｒ内に収容されている。ＬＥＤ基板２１Ｒ及び定電流基板２２Ｒは、収容部２３Ｒ内で互いに間隔を空けて配置されている。ＬＥＤ基板２１Ｒと定電流基板２２Ｒとの間に図示しないヒートシンクを設けて、定電流基板２２Ｒからの熱がＬＥＤ基板２１Ｒに伝わりにくくしてもよい。同様に、上述したＬＥＤ基板２１Ｆ及び定電流基板２２Ｆも、１つの収容部２３Ｆ内に収容されている。
【００２７】
中継コネクタ３は、そのコネクタハウジング内に３つのＦＥＴ３１Ｂ、３１Ｒ、３１Ｇと、これら３つのＦＥＴ３１Ｂ、３１Ｒ、３１Ｇのオンオフを制御する図示しないスイッチ制御部と、を内蔵している。３つのＦＥＴ３１Ｂ、３１Ｒ、３１Ｇはそれぞれ、青色ＬＥＤ４ＲＢ及び４ＦＢ、赤色ＬＥＤ４ＲＲ及び４ＦＲ、緑色ＬＥＤ４ＲＢ及び４ＦＢに直列接続されている。ＦＥＴ３１Ｂ、３１Ｒ、３１Ｇはそれぞれ、ＮチャンネルのパワーＭＯＳＦＥＴから構成されている。
【００２８】
ＦＥＴ３１Ｂ、３１Ｇは、それぞれドレインが青色定電流回路５Ｂ、緑色定電流回路５Ｇを介して青色ＬＥＤ４ＲＢ、緑色ＬＥＤ４ＲＧのカソードに接続され、ソースがグランドに接続されている。ＦＥＴ３１Ｒは、ドレインが赤色定電流回路５Ｒを介して赤色ＬＥＤ４ＦＲのカソードに接続され、ソースがグランドに接続されている。
【００２９】
ＦＥＴ３１Ｂ、３１Ｒ、３１Ｇのゲートは、図示しないスイッチ制御部に接続され、スイッチ制御部によって各ＦＥＴ３１Ｂ、３１Ｒ、３１Ｇのオンオフが制御されている。本実施形態では、図示しないスイッチ制御部は、ＦＥＴ３１Ｂ、３１Ｒ、３１Ｇのゲートにデューティが制御されたパルスを供給している（ＰＷＭ制御）。このパルスのデューティを調整することにより、フルカラーＬＥＤ４Ｒ、４Ｆの輝度や発光色を調整することができる。
【００３０】
また、ＬＥＤユニット２Ｒには、電源を供給するための電源端子Ｔ１１と、電源をＬＥＤユニット２Ｆに供給するための電源端子Ｔ１２と、青色ＬＥＤ４ＲＢ、赤色ＬＥＤ４ＲＲ、緑色ＬＥＤ４ＲＧをＬＥＤユニット２Ｆの青色ＬＥＤ４ＦＢ、赤色ＬＥＤ４ＦＲ、緑色ＬＥＤ４ＦＧに接続するための３つの接続端子Ｔ１３、Ｔ１４、Ｔ１５と、青色定電流回路５Ｂ、緑色定電流回路５Ｇを中継コネクタ３に接続するための２つの接続端子Ｔ１６、Ｔ１７の計７つの端子が設けられている。これら端子Ｔ１１〜Ｔ１７は、図示しないコネクタハウジング内に収容され、コネクタを構成している。電源端子Ｔ１１は、中継コネクタ３の電源端子に接続されている。
【００３１】
ＬＥＤユニット２Ｆには、電源端子Ｔ１２に接続された電源端子Ｔ２１と、青色ＬＥＤ４ＦＢ、赤色ＬＥＤ４ＦＲ、緑色ＬＥＤ４ＦＧをＬＥＤユニット２Ｒの青色ＬＥＤ４ＲＢ、赤色ＬＥＤ４ＲＲ、緑色ＬＥＤ４ＲＧに接続するための３つの接続端子Ｔ２２、Ｔ２３、Ｔ２４と、赤色定電流回路５Ｒを中継コネクタ３に接続するための接続端子Ｔ２５と、の計５つの端子が設けられている。これら端子Ｔ２１〜Ｔ２５は、図示しないコネクタハウジング内に収容され、コネクタを構成している。
【００３２】
次に、上記概略で説明した定電流回路５Ｂ、５Ｒ、５Ｇの詳細について説明する。上述した定電流回路５Ｂ、５Ｒ、５Ｇは各々、トランジスタＴｒＢ、ＴｒＲ、ＴｒＧと、トランジスタＴｒＢ、ＴｒＲ、ＴｒＧのベース−エミッタ間に設けられたツェナーダイオードＺＤＢ、ＺＤＲ、ＺＤＧと、から構成されている。
【００３３】
定電流回路５Ｂ、５ＧのトランジスタＴｒＢ、ＴｒＧは、そのエミッタが抵抗Ｒ１、Ｒ５を介して接続端子Ｔ１６、Ｔ１７に接続され、コレクタが抵抗Ｒ２、Ｒ６を介して青色ＬＥＤ４ＲＢ、緑色ＬＥＤ４ＲＧのカソードに接続され、ベースが抵抗を介して電源端子Ｔ１１に接続されている。定電流回路５Ｂ、５Ｇは青色ＬＥＤ４ＲＢ、４ＲＧよりも電源下流側に直列接続されている。
【００３４】
定電流回路５ＲのトランジスタＴｒＲは、そのエミッタが抵抗Ｒ３を介して接続端子Ｔ２５に接続され、コレクタが抵抗Ｒ４を介して赤色ＬＥＤ４ＦＲのカソードに接続され、ベースが抵抗を介して電源端子Ｔ２１に接続されている。定電流回路５Ｒは赤色ＬＥＤ４ＦＲよりも電源下流側に直列接続されている。
【００３５】
次に、上述した構成のＬＥＤ装置１の動作について説明する。ＦＥＴ３１Ｂ、ＦＥＴ３１Ｇをオンすると、定電流回路５Ｂ、５Ｇの働きにより、青色ＬＥＤ４ＲＢ及び４ＦＢ、緑色ＬＥＤ４ＲＧ及び４ＦＧに定電流Ｉ１が流れ、青色ＬＥＤ４ＲＢ及び４ＦＢ、緑色ＬＥＤ４ＲＧ及び４ＦＧが発光する。また、ＦＥＴ３１Ｒをオンすると、定電流回路５Ｒの働きにより、赤色ＬＥＤ４ＲＲ及び４ＦＲに定電流Ｉ２が流れ、赤色ＬＥＤ４ＲＲ及び４ＦＲが発光する。なお、定電流Ｉ２は定電流Ｉ１より大きい電流である。
【００３６】
次に、上述した構成のＬＥＤ装置１の発熱量について説明する。ＬＥＤユニット２ＲのＬＥＤ基板２１Ｒと、ＬＥＤユニット２ＦのＬＥＤ基板２１Ｆと、は互いに同等のＬＥＤ４ＲＢ及び４ＦＢ、４ＲＲ及び４ＦＲ、４ＲＧ及び４ＦＧに、同じパターンの電流Ｉ１、Ｉ２が流れるため、発熱量はほぼ同等となる。
【００３７】
ＬＥＤユニット２Ｒの定電流基板２２Ｒは、２つの定電流回路５Ｂ、５Ｇが搭載されているが、定電流回路５Ｂ、５Ｇが発生する定電流Ｉ１は、定電流回路５Ｒが発生する定電流Ｉ２よりも小さい。一方、ＬＥＤユニット２Ｆの定電流基板２２Ｆは、１つの定電流回路５Ｒしか搭載されていないが、定電流回路５Ｒが発生する定電流Ｉ２は、定電流回路５Ｂ、５Ｇが発生する定電流Ｉ１よりも大きい。このため、２つの定電流基板２２Ｒ及び２２Ｆに発生する発熱量が互いに等しい値に近づくように、定電流回路５Ｂ、５Ｇ、５Ｒを２つの定電流基板２２Ｒ及び２２Ｆに分散して配置することができる。
【００３８】
即ち、上述した第１実施形態によれば、定電流回路５Ｂ、５Ｒ、５Ｇが、２つのＬＥＤユニット２Ｒ、２Ｌの定電流基板２２Ｒ及び２２Ｆに分散して配置される。これにより、ＬＥＤユニット２Ｒ、２Ｆに定電流回路５Ｂ、５Ｇ、５Ｒを内蔵しても、ＬＥＤ基板２１Ｒ及び２１Ｆの温度上昇を抑制しつつ部品点数削減を図ることができる。
【００３９】
上述した第１実施形態によれば、ＬＥＤ基板２１Ｒ、２１Ｆには、互いに異なる色で発光する複数のＬＥＤ４ＲＢ及び４ＦＢ、４ＲＲ及び４ＦＲ、４ＲＧ及び４ＦＧが互いに並列接続されて搭載され、複数のＬＥＤユニット２Ｒ及び２Ｆの同色のＬＥＤ４ＲＢ及び４ＦＢ、４ＲＲ及び４ＦＲ、４ＲＧ及び４ＦＧ同士が、互いに直列接続されている。これにより、ＬＥＤ基板２１Ｒ及び２１Ｆに搭載されたフルカラーＬＥＤ４Ｒ、４Ｆの色を制御できる。
【００４０】
上述した第１実施形態によれば、３つの定電流回路５Ｂ、５Ｒ、５Ｇを駆動電流の最も大きい定電流回路５Ｒと、残りの２つの定電流回路５Ｂ、５Ｇと、に分散して配置している。これにより、２つのＬＥＤユニット２Ｒ及び２ＦのＬＥＤ基板２１Ｒ及び２１Ｆの温度上昇の抑制を同程度に近づけることができる。このため、より一層ＬＥＤ基板２１Ｒ、２１Ｆの温度上昇を抑制することができる。
【００４１】
なお、上述した第１実施形態によれば、ＬＥＤ基板２１Ｒ、２１Ｆにはそれぞれ３つのＬＥＤ４ＲＢ、４ＲＲ、４ＲＧと、ＬＥＤ４ＦＢ、４ＦＲ、４ＦＧが搭載されていたが、これに限ったものではない。ＬＥＤ基板２１Ｒ、２１Ｆとしては複数のＬＥＤが搭載されていればよく、２つのＬＥＤが搭載されていてもよいし、３つ以上のＬＥＤが搭載されていてもよい。また、ＬＥＤ基板２１Ｒ、２１Ｆに搭載されるＬＥＤは、互いに異なる色で発光するものであったが、これに限ったものではない。同じ色のＬＥＤを複数搭載してもよい。
【００４２】
また、上述した第１実施形態によれば、ＬＥＤユニット２Ｒ、２Ｆは２つであったが、これに限ったものではない。ＬＥＤユニットとしては、３つ以上あってもよい。
【００４３】
また、上述した第１実施形態によれば、３つの定電流回路５Ｂ、５Ｒ、５Ｇを駆動電流の最も大きい定電流回路５Ｒと、残りの２つの定電流回路５Ｂ、５Ｇと、に分散して配置していたが、これに限ったものではない。本発明は、複数の定電流回路５Ｂ、５Ｒ、５Ｇが複数のＬＥＤユニット２Ｒ、２Ｆの一つだけに内蔵されることなく、複数のＬＥＤユニット２Ｒ、２Ｆにそれぞれ分散して内蔵されていればよい。このため、定電流回路５Ｂと、定電流回路５Ｒ及び５Ｇと、に分散して配置してもよい。この場合でも、ＬＥＤユニット２Ｒ、２Ｆの一つだけに内蔵される場合に比べて、ＬＥＤ基板２１Ｒ、２１Ｆの温度上昇を抑えることができる。
【００４４】
また、上述した第１実施形態によれば、定電流回路５Ｂ、５Ｒ、５Ｇは、トランジスタＴｒＢ、ＴｒＲ、ＴｒＧとツェナーダイオードＺＤＢ、ＺＤＲ、ＺＤＧとから構成されていたが、これに限ったものではない。定電流回路５Ｂ、５Ｒ、５Ｇとしては、定電流が供給できるような他の周知の定電流回路であってもよい。
【００４５】
（第２実施形態）
次に、本発明の第２実施形態を図３に基づいて説明する。図３は、第２実施形態における本発明の発光装置としてのＬＥＤ装置を示す回路図である。なお、同図において、上述した第１実施形態で既に説明した図１のＬＥＤ装置と同等の部分については同一符号を付してその詳細な説明を省略する。
【００４６】
上述した第１実施形態では、ＬＥＤユニット２Ｒの端子数は７つであり、ＬＥＤユニット２Ｆの端子数は５つであった。このため、コネクタとしては、７ピンのコネクタ、５ピンのコネクタを用いる必要があり、２つのＬＥＤユニット２Ｒ、２Ｆで共通のコネクタを用いることができない。また、収容部２３Ｒ、２３Ｆも共通化することができない。そこで、第２実施形態ではＬＥＤユニット２ＲとＬＥＤユニット２Ｆとの端子数を同じにして、コネクタや収容部２３Ｒ、２３Ｆを共通化できるようにしている。
【００４７】
第２実施形態では、青色ＬＥＤ４ＲＢ、緑色ＬＥＤ４ＲＧは各々、青色ＬＥＤ４ＦＢ、緑色ＬＥＤ４ＦＧの電源上流側に接続される。一方、赤色ＬＥＤ４ＲＲは、赤色ＬＥＤ４ＦＲの電源下流側に配置されている。
【００４８】
このようにすることにより、第１実施形態では、定電流Ｉ１が、ＬＥＤユニット２ＦからＬＥＤユニット２Ｒに向けて流れ、定電流Ｉ２が、ＬＥＤユニット２ＲからＬＥＤユニット２Ｆに向けて流れていたのに対し、第２実施形態では、定電流Ｉ１はＬＥＤユニット２ＲからＬＥＤユニット２Ｆに向けて流れ、定電流Ｉ２はＬＥＤユニット２ＦからＬＥＤユニット２Ｒに向けて流れる。
【００４９】
また、ＬＥＤユニット２Ｒには、電源を供給するための電源端子Ｔ３１（第１電源端子）と、電源をＬＥＤユニット２Ｆに供給するための電源端子Ｔ３２（第２電源端子）と、青色ＬＥＤ４ＲＢ、赤色ＬＥＤ４ＲＲ、緑色ＬＥＤ４ＲＧをＬＥＤユニット２Ｆの青色ＬＥＤ４ＦＢ、赤色ＬＥＤ４ＦＲ、緑色ＬＥＤ４ＦＧに接続するための３つの接続端子Ｔ３３、Ｔ３４、Ｔ３５（第１接続端子）と、赤色ＬＥＤ４ＲＲを中継コネクタ３に接続するための接続端子Ｔ３６（第２接続端子）と、の計６つの端子が設けられている。
【００５０】
一方、ＬＥＤユニット２Ｆには、電源端子Ｔ３２に接続された電源端子Ｔ４１（第３電源端子）と、青色ＬＥＤ４ＦＢ、赤色ＬＥＤ４ＦＲ、緑色ＬＥＤ４ＦＧをＬＥＤユニット２Ｒの青色ＬＥＤ４ＲＢ、赤色ＬＥＤ４ＲＲ、緑色ＬＥＤ４ＲＧに接続するための３つの接続端子Ｔ４２、Ｔ４３、Ｔ４４（第３接続端子）と、青色ＬＥＤ４ＦＢ、緑色ＬＥＤ４ＦＧを中継コネクタ３に接続するための２つの接続端子Ｔ４５、Ｔ４６（第４接続端子）、の計６つの端子が設けられている。
【００５１】
また、第２実施形態では、定電流回路５Ｂ、５Ｇは、定電流基板２２Ｆに搭載されている。これにより、定電流回路５Ｂ、５Ｇは、青色ＬＥＤ４ＦＢ、緑色ＬＥＤ４ＲＧの下流側に接続される。また、定電流回路５Ｒは、定電流基板２２Ｒに搭載されている。これにより、定電流回路５Ｒは、赤色ＬＥＤ４ＲＲの下流側に接続される。
【００５２】
詳しく説明すると、定電流回路５Ｂ、５ＧのトランジスタＴｒＢ、ＴｒＧは、そのコレクタが抵抗Ｒ１、Ｒ５を介して青色ＬＥＤ４ＦＢ、緑色ＬＥＤ４ＦＧのカソードに接続され、エミッタが抵抗Ｒ２、Ｒ６を介して接続端子Ｔ４５、Ｔ４６に接続され、ベースが抵抗を介して電源端子Ｔ４１に接続されている。
【００５３】
また、定電流回路５ＲのトランジスタＴｒＲは、そのコレクタが抵抗Ｒ３を介して赤色ＬＥＤ４ＲＲのカソードに接続され、エミッタが抵抗Ｒ４を介して接続端子Ｔ３６に接続され、ベースが抵抗を介して電源端子Ｔ３１に接続されている。
【００５４】
上述した第２実施形態によれば、２つのＬＥＤユニット２Ｒ、２Ｆの端子数を同じにすることができるため、コネクタや、収容部２３Ｒ、２３Ｆなどを共通化することができる。
【００５５】
なお、本発明は上記実施形態に限定されるものではない。即ち、本発明の骨子を逸脱しない範囲で種々変形して実施することができる。
【符号の説明】
【００５６】
１  ＬＥＤ装置（発光装置）
２Ｒ  ＬＥＤユニット（光源ユニット）
２Ｆ  ＬＥＤユニット（光源ユニット）
３  中継コネクタ（制御部）
４ＲＢ  青色ＬＥＤ（光源）
４ＲＲ  赤色ＬＥＤ（光源）
４ＲＧ  緑色ＬＥＤ（光源）
４ＦＢ  青色ＬＥＤ（光源）
４ＦＲ  赤色ＬＥＤ（光源）
４ＦＧ  緑色ＬＥＤ（光源）
５Ｂ  青色定電流回路（定電流回路）
５Ｒ  赤色定電流回路（定電流回路）
５Ｇ  緑色定電流回路（定電流回路）
２１Ｒ  ＬＥＤ基板（光源基板）
２１Ｆ  ＬＥＤ基板（光源基板）
２２Ｒ  定電流基板
２２Ｆ  定電流基板
２３Ｒ  収容部
２３Ｆ  収容部
Ｔ３１  電源端子（第１電源端子）
Ｔ３２  電源端子（第２電源端子）
Ｔ３３〜Ｔ３５  接続端子（第１接続端子）
Ｔ３６  接続端子（第２接続端子）
Ｔ４１  電源端子（第３電源端子）
Ｔ４２〜Ｔ４４  接続端子（第３接続端子）
Ｔ４５、Ｔ４６  接続端子（第４接続端子）
【図１】
2018116762.tif 000003
【図２】
2018116762.tif 000004
【図３】
2018116762.tif 000005